(57)【要約】【課題】光学部品を光学装置に取付ける際に位置や角度の調整も行うことができて後の調整を不要とした光学部品の接着方法を提供する。【解決手段】光学部品を接着する接着材２２は、液体状態に対して光または紫外線を照射あるいは加熱することによって弾性を有する半硬化状態となり、半硬化状態に対して光または紫外線を照射あるいは加熱することによって硬化する特性を有する樹脂材からなり、光学部品１の取付面に液体状態の樹脂材２２を塗布し、液体状態の樹脂材２２に対して光または紫外線を照射あるいは加熱して弾性を有する半硬化状態とし、半硬化状態の樹脂材２２を有した光学部品１を光学装置の所定位置に位置決めし、この状態で樹脂材２２に対して光または紫外線を照射あるいは加熱し硬化状態として、光学部品１を光学装置の所定位置に固定する。【選択図】図６
2010139722.tif 000002
【特許請求の範囲】
【請求項１】
光学機能部を有し、該光学機能部以外の所定位置に樹脂材からなる凸部が形成されてなる光学部品において、
前記樹脂材は液体状態に対して光または紫外線を照射あるいは加熱することによって弾性を有する半硬化状態となり、該半硬化状態に対して光または紫外線を照射あるいは加熱することによって硬化する特性を有し、
前記所定位置に液体状態の前記樹脂材を塗布し、該液体状態の樹脂材に対して光または紫外線を照射あるいは加熱して弾性を有する半硬化状態とし、該状態において前記樹脂材を最終形状となるように押圧し、該押圧した状態で前記樹脂材に対して光または紫外線を照射あるいは加熱し硬化状態として、前記凸部を形成してなることを特徴とする光学部品。
【請求項２】
光学機能部を有し、該光学機能部以外の所定位置に樹脂材からなる凸部を形成した光学部品の製造方法において、
前記樹脂材は液体状態に対して光または紫外線を照射あるいは加熱することによって弾性を有する半硬化状態となり、該半硬化状態に対して光または紫外線を照射あるいは加熱することによって硬化する特性を有し、
前記光学部品の所定位置に液体状態の前記樹脂材を塗布し、該液体状態の樹脂材に対して光または紫外線を照射あるいは加熱して弾性を有する半硬化状態とし、該状態において前記樹脂材を最終形状となるように押圧し、該押圧した状態で前記樹脂材に対して光または紫外線を照射あるいは加熱し硬化状態として、前記凸部を形成することを特徴とする光学部品の製造方法。
【請求項３】
前記樹脂材は光または紫外線の照射によって半硬化状態及び硬化状態となる特性を有し、前記光学部品は透明な部材からなり、半硬化状態の前記樹脂材を有した前記光学部品を基準面に対し所望の角度で押圧し、前記光学部品側から光または紫外線を照射することにより、前記樹脂材を硬化状態として、前記凸部を形成することを特徴とする請求項２記載の光学部品の製造方法。
【請求項４】
光学部品を接着して位置決め固定する取付面を有する光学装置において、
前記光学部品を接着する接着材は、液体状態に対して光または紫外線を照射あるいは加熱することによって弾性を有する半硬化状態となり、該半硬化状態に対して光または紫外線を照射あるいは加熱することによって硬化する特性を有する樹脂材からなり、
前記光学部品の取付面に液体状態の前記樹脂材を塗布し、該液体状態の樹脂材に対して光または紫外線を照射あるいは加熱して弾性を有する半硬化状態とし、該半硬化状態の樹脂材を有した光学部品を前記光学装置の取付面に位置決めし、該状態で前記樹脂材に対して光または紫外線を照射あるいは加熱し硬化状態として、前記光学部品を光学装置の取付面に固定してなることを特徴とする光学装置。
【請求項５】
所定位置に取付面を有し、該取付面に光学部品を接着して位置決め固定する光学装置の製造方法において、
前記光学部品を接着する接着材は、液体状態に対して光または紫外線を照射あるいは加熱することによって弾性を有する半硬化状態となり、該半硬化状態に対して光または紫外線を照射あるいは加熱することによって硬化する特性を有する樹脂材からなり、
前記光学部品の取付面に液体状態の前記樹脂材を塗布し、該液体状態の樹脂材に対して光または紫外線を照射あるいは加熱して弾性を有する半硬化状態とし、該半硬化状態の樹脂材を有した光学部品を前記光学装置の取付面に位置決めし、該状態で前記樹脂材に対して光または紫外線を照射あるいは加熱し硬化状態として、前記光学部品を光学装置の取付面に固定することを特徴とする光学装置における光学部品の接着方法。
【請求項６】
前記樹脂材は光または紫外線の照射によって半硬化状態及び硬化状態となる特性を有し、前記光学部品は透明な部材からなり、半硬化状態の前記樹脂材を有した前記光学部品を前記取付面の所定位置に位置決めし、前記光学部品側から光または紫外線を照射することにより、前記樹脂材を硬化状態とし前記取付面に対し接着固定することを特徴とする請求項５記載の光学装置の製造方法。
【発明の詳細な説明】
【技術分野】
【０００１】
本発明は、樹脂材の凸部を有した光学部品とその製造方法、及び光学部品が接着材により位置決め固定された光学装置とその製造方法に関する。
【背景技術】
【０００２】
カメラモジュールや光ピックアップ、あるいは光通信機器などの光学装置において、レンズやフィルター、あるいはレーザー等の光学部品は、光軸に対し正確な位置及び角度で配置される必要がある。このため、光学部品の取付面に接着材を塗布し、光学装置内の所定位置に接着させることにより、固定をなすことが行われている。このように光学装置内に光学部品を接着材により接着固定するものとしては例えば特許文献１に挙げるようなものがある。
【特許文献１】特開２００６−３３８８１１号公報
【０００３】
また、本願出願人は、光学部品を収差特性に応じて傾斜配置をなすため、光学部品の取付面に、樹脂材からなり収差特性に応じた高さを有する突起を設けて、この突起を有する面を光学装置の所定位置に載置することにより、光学部品の収差特性を補正する取付方法を発明している。
【発明の開示】
【発明が解決しようとする課題】
【０００４】
従来の光学装置においては、光学部品の精度や取付精度を向上させることにより、光学部品を正確な位置及び角度に設置するようにしていた。また、光学部品の組立後において調整を行うこともあった。このため、組立後の光学特性を確認する手段が必要であり、また調整を行うための構造を持たせることも必要であった。これによって光学装置が大型化すると共にコストが高くなるという問題があった。
【０００５】
また、光学部品に樹脂材による突起を設ける場合には、光学部品の所定位置にまず一定の高さを有する突起を樹脂材により形成し、この突起をさらに切削や研削などにより加工することで、光学部品の特性に応じた高さとなるようにしていた。しかし、このように突起を形成した上で後加工が必要であったため、工数が多くなってコストアップを招くという問題があった。
【０００６】
また、取付面に接着材を塗布した状態で、取付角度の調整を行い、接着材を硬化させることで突起を形成すると、後加工は不要となるが、接着材は硬化前の状態では液体状であるため、調整時に接着材が流れてしまうことがあった。あるいは、接着材を押しつける方向に調整を行った場合には、形状がそれに追随して変化するものの、接着材を伸ばす方向に調整を行った場合には、形状が追随しない場合があった。このように、突起を形成する際に高さの調整も行おうとすると、様々な不具合があった。
【０００７】
本発明は前記課題を鑑みてなされたものであり、樹脂材からなる突起を形成する際に高さの調整も行うことができて後加工を不要とした光学部品とその製造方法と、光学部品を取付ける際に位置や角度の調整も行うことができて後の調整を不要とした光学装置とその製造方法を提供することを目的とする。
【課題を解決するための手段】
【０００８】
前記課題を解決するため、本発明に係る光学部品は、光学機能部を有し、該光学機能部以外の所定位置に樹脂材からなる凸部が形成されてなる光学部品において、
前記樹脂材は液体状態に対して光または紫外線を照射あるいは加熱することによって弾性を有する半硬化状態となり、該半硬化状態に対して光または紫外線を照射あるいは加熱することによって硬化する特性を有し、
前記所定位置に液体状態の前記樹脂材を塗布し、該液体状態の樹脂材に対して光または紫外線を照射あるいは加熱して弾性を有する半硬化状態とし、該状態において前記樹脂材を最終形状となるように押圧し、該押圧した状態で前記樹脂材に対して光または紫外線を照射あるいは加熱し硬化状態として、前記凸部を形成してなることを特徴として構成されている。
【０００９】
また、本発明に係る光学部品の製造方法は、光学機能部を有し、該光学機能部以外の所定位置に樹脂材からなる凸部を形成した光学部品の製造方法において、
前記樹脂材は液体状態に対して光または紫外線を照射あるいは加熱することによって弾性を有する半硬化状態となり、該半硬化状態に対して光または紫外線を照射あるいは加熱することによって硬化する特性を有し、
前記光学部品の所定位置に液体状態の前記樹脂材を塗布し、該液体状態の樹脂材に対して光または紫外線を照射あるいは加熱して弾性を有する半硬化状態とし、該状態において前記樹脂材を最終形状となるように押圧し、該押圧した状態で前記樹脂材に対して光または紫外線を照射あるいは加熱し硬化状態として、前記凸部を形成することを特徴として構成されている。
【００１０】
さらに、本発明に係る光学部品の製造方法は、前記樹脂材は光または紫外線の照射によって半硬化状態及び硬化状態となる特性を有し、前記光学部品は透明な部材からなり、半硬化状態の前記樹脂材を有した前記光学部品を基準面に対し所望の角度で押圧し、前記光学部品側から光または紫外線を照射することにより、前記樹脂材を硬化状態として、前記凸部を形成することを特徴として構成されている。
【００１１】
さらにまた、本発明に係る光学装置は、光学部品を接着して位置決め固定する取付面を有する光学装置において、
前記光学部品を接着する接着材は、液体状態に対して光または紫外線を照射あるいは加熱することによって弾性を有する半硬化状態となり、該半硬化状態に対して光または紫外線を照射あるいは加熱することによって硬化する特性を有する樹脂材からなり、
前記光学部品の取付面に液体状態の前記樹脂材を塗布し、該液体状態の樹脂材に対して光または紫外線を照射あるいは加熱して弾性を有する半硬化状態とし、該半硬化状態の樹脂材を有した光学部品を前記光学装置の取付面に位置決めし、該状態で前記樹脂材に対して光または紫外線を照射あるいは加熱し硬化状態として、前記光学部品を光学装置の取付面に固定してなることを特徴として構成されている。
【００１２】
そして、本発明に係る光学装置の製造方法は、所定位置に取付面を有し、該取付面に光学部品を接着して位置決め固定する光学装置の製造方法において、
前記光学部品を接着する接着材は、液体状態に対して光または紫外線を照射あるいは加熱することによって弾性を有する半硬化状態となり、該半硬化状態に対して光または紫外線を照射あるいは加熱することによって硬化する特性を有する樹脂材からなり、
前記光学部品の取付面に液体状態の前記樹脂材を塗布し、該液体状態の樹脂材に対して光または紫外線を照射あるいは加熱して弾性を有する半硬化状態とし、該半硬化状態の樹脂材を有した光学部品を前記光学装置の取付面に位置決めし、該状態で前記樹脂材に対して光または紫外線を照射あるいは加熱し硬化状態として、前記光学部品を光学装置の取付面に固定することを特徴として構成されている。
【００１３】
また、本発明に係る光学装置の製造方法は、前記樹脂材は光または紫外線の照射によって半硬化状態及び硬化状態となる特性を有し、前記光学部品は透明な部材からなり、半硬化状態の前記樹脂材を有した前記光学部品を前記取付面の所定位置に位置決めし、前記光学部品側から光または紫外線を照射することにより、前記樹脂材を硬化状態とし前記取付面に対し接着固定することを特徴として構成されている。
【発明の効果】
【００１４】
本発明に係る光学部品及びその製造方法によれば、光学部品の所定位置に液体状態の樹脂材を塗布し、液体状態の樹脂材に対して光または紫外線を照射あるいは加熱して弾性を有する半硬化状態とし、この状態において樹脂材を最終形状となるように押圧し、押圧した状態で樹脂材に対して光または紫外線を照射あるいは加熱し硬化状態として、凸部を形成することにより、凸部の高さを調整しながら形成することができるので、後加工を不要とすることができる。
【００１５】
また、本発明に係る光学部品の製造方法によれば、光学部品は透明な部材からなり、半硬化状態の樹脂材を有した光学部品を基準面に対し所望の角度で押圧し、光学部品側から光または紫外線を照射することにより、樹脂材を硬化状態として、凸部を形成することにより、光または紫外線を単純に照射するだけで、容易に樹脂材の状態を変化させることができ、凸部の形成をさらに容易にすることができる。
【００１６】
さらに、本発明に係る光学装置及びその製造方法によれば、光学部品の取付面に液体状態の樹脂材を塗布し、液体状態の樹脂材に対して光または紫外線を照射あるいは加熱して弾性を有する半硬化状態とし、半硬化状態の樹脂材を有した光学部品を光学装置の所定位置に位置決めし、この状態で樹脂材に対して光または紫外線を照射あるいは加熱し硬化状態として、光学部品を光学装置の所定位置に固定することにより、光学部品の位置決め調整をしながら固定することができるので、組立後の調整を不要とすることができる。
【００１７】
さらにまた、本発明に係る光学装置の製造方法によれば、光学部品は透明な部材からなり、半硬化状態の樹脂材を有した前光学部品を取付面の所定位置に位置決めし、光学部品側から光または紫外線を照射することにより、樹脂材を硬化状態とし取付面に対し接着固定することにより、光または紫外線を単純に照射するだけで、容易に樹脂材の状態を変化させることができ、光学部品の固定をさらに容易にすることができる。
【発明を実施するための最良の形態】
【００１８】
本発明の実施形態について図面に沿って詳細に説明する。本実施形態では、光学装置としての光ピックアップにおいて、対物レンズに対し収差を補正する突起部を樹脂により形成する方法について説明する。図１には、本実施形態におけるレンズを有した光ピックアップの概念図を示している。この図に示すように光ピックアップは、記録媒体６と対向するように配置されるレンズ１と、レンズ１に向かって光を発光する半導体レーザーからなる発光部２と、レンズ１側からの光を受光する受光部３と、発光部２からの光をレンズ１に入射させると共に、レンズ１からの光を受光部３に入射させるビームスプリッタ４と、レンズ１を保持固定する取付台５とを有して構成されている。
【００１９】
光ピックアップにおいて発光部２からの光は、ビームスプリッタ４を介してレンズ１に入射し、レンズ１によって収束光となり記録媒体６に照射される。記録媒体６からの反射光は、レンズ１を介してビームスプリッタ４で屈曲し、受光部３に入射され、記録媒体６に記録された情報を読み取る。
【００２０】
図２には、レンズ１の斜視図を示している。この図に示すように、レンズ１は凸レンズの形状に形成されてなる光学機能部としてのレンズ面１０を備え、その周囲には全周に渡って鍔部１１が形成されている。また、レンズ１は透明なガラス素材からなり、加熱され軟化した素材を成形型で押圧し、成形型の形状を転写することにより形成される。
【００２１】
鍔部１１は、光軸方向に略面する平面状の取付面１２を有している。取付面１２はレンズ面１０の周縁部よりも外周側部分を構成しており、レンズ１の全周に渡って平面状とされていることで、リング状の形態を有している。この取付面１２は、光ピックアップの取付台５に載置されることで、光ピックアップに対する取付の基準面となる。
【００２２】
取付面１２の３か所には、突出状の凸部１３が形成されている。凸部１３の頂部は平坦な平面状とされて当接面１４を構成している。取付面１２に凸部１３が形成されていることで、後述するように取付台５に載置した際に凸部１３の当接面１４により三点支持をなし、レンズ１を所定の方向に傾斜させることができる。凸部１３の配置は、取付面１２において凸部１３を結んだ三角形が、二等辺三角形をなすようにされ、頂角を構成する１つの凸部１３ａは、底角を構成する２つの凸部１３ｂ、１３ｃよりも高くなっており、取付台５に載置することでレンズ面１０が凸部１３ａ側に向かって高くなるように傾斜することとなる。また、３つの凸部１３により形成される二等辺三角形の頂角がコマ収差の補正方向を向くように、各凸部１３が配置される。
【００２３】
図３には、取付台５に載置したレンズ１の側面図を示している。この図に示すように、レンズ１のレンズ面１０は、両面にそれぞれ形成されており、光ピックアップにおいて発光部２側に配置される第１面１０ａと、記録媒体６側に配置される第２面１０ｂとからなっている。第１面１０ａは第２面１０ｂよりも大きく突出するように形成されており、図２においては、上側に向いたレンズ面１０が第１面１０ａである。
【００２４】
光ピックアップの取付台５は、レンズ面１０が配置される部分は空間状とされると共に、上面５ａが平面状となるように形成されており、レンズ１の取付面１２を上面５ａに載置することができる。ここで、前述のようにレンズ１の取付面１２には３か所に凸部１３が形成されており、その高さが異なるため、取付面１２を取付台５の上面５ａに載置することにより、レンズ１は一方向に傾斜する。この傾斜方向及び傾斜角度は、レンズ１のコマ収差を補正するように設定され、当該設定方向及び角度となるように凸部１３が形成されている。
【００２５】
次に、本実施形態におけるレンズ１の製造方法について説明する。図４には、レンズ１を成形する工程の概念図を示している。この図に示すように、レンズ１を製造するにあたっては、予め金属製の成形型２０を用意しておく必要がある。成形型２０は、上下２つの金型からなり、切削及び研削加工によりレンズ面を反転した形状を有するレンズ成形面２０ａが形成されている。
【００２６】
図４（ａ）に示すように、成形型２０には加熱により軟化されたガラス素材２１が載置される。次に図４（ｂ）に示すように、対向する２つの成形型２０を互いに近づけて、ガラス素材２１を押圧し、レンズ成形面２０ａの形状をガラス素材２１に転写する。これによってレンズ面１０を形成したら、ガラス素材２１を冷却して硬化させ、レンズ面１０及び鍔部１１を有したレンズ１を形成する。ガラスが硬化したら、レンズ１を成形型２０から離型して取り出す。
【００２７】
レンズ１を形成したら、次にレンズ１のコマ収差の方向及び大きさを測定する。コマ収差の測定は、光学干渉を用いた回折干渉計測方式をはじめ、どのような手法を用いてもよい。コマ収差の方向及び大きさを測定したら、コマ収差の補正方向が分かるように取付面１２の任意の位置にマークを付すことが望ましい。コマ収差の大きさを測定することで、レンズ１の傾斜させるべき角度が算出される。
【００２８】
図５には、凸部１３の形成行程の概念図を示している。まず、図５（ａ）に示すように、鍔部１１の取付面１２の３か所に、樹脂材からなる接着材２２を塗布する。ここで使用する接着材２２は、液体状態に対して紫外線を照射することにより弾性を有する半硬化状態となり、さらに紫外線を照射することにより完全に硬化した状態となる特性を有している。接着材の材料として例えば、協立化学産業（株）ＷＯＲＬＤ  ＲＯＣＫ  ８７２３Ｋ９Ｃ、エポキシ系樹脂、アクリル系樹脂、ウレタン系樹脂、シリコーン系樹脂、あるいはポリイミド系樹脂などを用いることにより、当該特性を有する接着材とすることができる。図５（ａ）において接着材２２は液体状態であり、容易に取付面１２に対して塗布することができる。
【００２９】
取付面１２に接着材２２を塗布した状態で、図５（ｂ）に示すように接着材２２に紫外線を照射し、弾性を有した半硬化状態とする。半硬化状態において接着材２２は、押圧することで変形が可能である。続いて、図５（ｃ）に示すように、レンズ面１０の第１面１０ａ側から透明板２３を被せる。透明板２３は、アクリル等の透明な素材からなり、レンズ面１０と干渉しないように穴部２３ａが設けられている。
【００３０】
透明板２３は、レンズ１に対して傾斜状に配置する。その傾斜は、レンズ１のコマ収差を補正するために必要な角度となるように調整する。透明板２３の表面がレンズ１の取付面１２に近づくと、透明板２３は取付面１２上において半硬化状態の接着材２２に当接する。さらに透明板２３の表面を取付面１２に近づけると、透明板２３によって半硬化状態の接着材２２は押圧され、その高さが変化する。この際、接着材２２は半硬化状態であって液体状態ではないため、取付面１２上において流れたりすることがなく、また透明板２３を取付面１２に近づけるように調整を行った場合と、透明板２３を取付面１２から遠ざけるように調整を行った場合の、いずれにおいても接着材２２は形状が追随して変形することができる。すなわち、透明板２３の調整は、ｘ、ｙ、ｚの三軸いずれの方向にも行うことができる。
【００３１】
図５（ｄ）に示すように、透明板２３を調整した上で、接着材２２に対して透明板２３を介して紫外線を照射する。それによって接着材２２は完全に硬化されて、凸部１３が形成される。前述のように透明板２３は取付面１２に対して傾斜しているので、凸部１３は異なる高さを有するように形成されることとなる。最後に図５（ｅ）に示すように、透明板２３を取り外すことによって、凸部１３を有したレンズ１が完成する。なお、接着材２２の硬化に伴い透明板２３と凸部１３が接着状態とならないように、透明板２３の表面に接着材が接着しないような表面加工を予め施しておくことが望ましい。
【００３２】
このような接着材の半硬化状態を用いた樹脂の成形方法によれば、塗布の際には樹脂を液体状態としておき、高さの調整を行う際には樹脂を半硬化状態としておき、調整を行ったら樹脂を本硬化させるという工程によって、所定高さの樹脂の突起を容易に成形することができる。また、本実施形態ではコマ収差を補正するための凸部１３を形成しているが、その他の用途に使用する突起を形成する場合であっても、本実施形態の成形方法を用いることができる。
【００３３】
次に、本発明の第２の実施形態について説明する。本実施形態では、光学装置としての光ピックアップにおいて、対物レンズを位置決め固定する方法について説明する。本実施形態の光ピックアップは、第１の実施形態と同じ構成を有しているため、その構成についての説明は省略する。
【００３４】
図６には、本実施形態においてレンズ１を位置決め固定する工程の概念図を示している。図６（ａ）に示すように、レンズ１の取付面１２には、樹脂材からなる接着材２２を塗布する。ここで使用する接着材２２は、第１の実施形態と同様の特性を有し、すなわち液体状態に対して紫外線を照射することにより弾性を有する半硬化状態となり、さらに紫外線を照射することにより完全に硬化した状態となる特性を有している。図６（ａ）において接着材２２は液体状態であり、容易に取付面１２に対して塗布することができる。
【００３５】
図６（ｂ）に示すように、取付面１２に接着材２２を塗布した状態で、接着材２２に紫外線を照射し、弾性を有した半硬化状態とする。続いて、図６（ｃ）に示すように、半硬化状態の接着材２２を有するレンズ１を、接着材２２の塗布された側を下にして光ピックアップの取付台５に載置し、治具（図示しない）を使って取付角度を調整する。
【００３６】
レンズ１は取付台５に対して予め測定されたコマ収差を補正する方向及び大きさに傾斜するよう調整される。この際、接着材２２は半硬化状態であるため、第１の実施形態の場合と同様にｘ、ｙ、ｚの三軸いずれの方向にも確実に調整を行うことができる。
【００３７】
レンズ１の取付角度を調整したら、図６（ｄ）に示すように、接着材２２が塗布された面と反対側の面から紫外線を照射する。紫外線は、レンズ１の鍔部１１を透過して接着材２２を硬化状態とし、図６（ｃ）で調整した取付角度を保ったままレンズ１を取付台５に対して接着した状態とする。
【００３８】
このように、本実施形態における光学部品の接着方法は、第１の実施形態における光学部品に設ける樹脂の成形方法と概ね同様の構成からなり、第１の実施形態では接着材の硬化後に透明板２３からレンズ１を取り外して光ピックアップの取付台５に載置固定するのに対し、本実施形態では取付台５に載置した状態で接着材を硬化させ、そのままレンズ１を固定する点が異なるだけである。
【００３９】
本実施形態の光学部品の接着方法によれば、塗布の際には接着材を液体状態としておき、取付の調整を行う際には接着材を半硬化状態としておき、調整を行ったら接着材を本硬化させるという工程によって、光学部品の取付位置及び角度の調整を取付時に容易に行うことができ、組立後の調整を不要とすることができる。
【００４０】
また、本実施形態において光ピックアップを構成するその他の部品についても、それぞれ光学装置内における取付を本発明によりなすことができる。例えば、図１に示す発光部２や受光部３、及びビームスプリッタ４は、いずれも光軸に対する位置調整を必要とし、また光ピックアップ内において接着材を用いて所定位置に固定されるものである。したがって、各部品の接着位置に本実施形態において用いた特性を有する接着材を塗布し、予め紫外線を照射して半硬化状態とした上で、光ピックアップの所定位置において位置決め調整し、さらに紫外線を照射することで本硬化させて接着固定することができ、これによって位置調整を容易に行うことができると共に、組立後の調整を不要とすることができる。
【００４１】
さらに、光学装置としては光ピックアップには限られず、その他の機器であっても本発明を適用することができる。図７には、本発明を適用できる光学装置の例として、カメラモジュールの断面図を示している。この図に示すように、カメラモジュールは、筒状に形成されたホルダ３０と、ホルダ３０に保持されるバレル３１の内周面に設けられるレンズ３２と、基板３５上に配置されレンズ３２で集光される光を画像データに変換する受光センサー３３と、レンズ３２と受光センサー３３の間に配置されるフィルター３４とを有している。
【００４２】
カメラモジュールにおいて、バレル３１はホルダ３０に対して接着部３６において、フィルター３４はホルダ３０に対して接着部３７において、またホルダ３０は基板３５に対して接着部３８において、それぞれ接着材により位置決め固定される。このそれぞれについて、本実施形態において用いた接着材を用いることができる。すなわち、それぞれの固定において、液体状態の接着材を塗布し、予め紫外線を照射して接着材を半硬化状態としておき、位置決めの調整を行ってからさらに紫外線を照射し、接着材を硬化させて接着固定を行う。
【００４３】
また、カメラモジュールの他にも、光通信機器ではさらに多くのレンズやλ／２板、整形プリズムなどの光学部品が用いられており、これらはいずれも位置決めの調整が必要であると共に、光学装置内において接着材により固定することが可能である。このような光学部品について、本実施形態の接着方法を採用することができる。
【００４４】
以上、本発明の実施形態について説明したが、本発明の適用はこれら実施形態には限られず、その技術的思想の範囲内において様々に適用されうるものである。ここで説明した実施形態では、接着材は紫外線の照射により半硬化し、さらに紫外線を照射することにより本硬化するものを採用したが、光の照射により半硬化、本硬化するものや、加熱により半硬化、本硬化するものであってもよい。
【図面の簡単な説明】
【００４５】
【図１】第１の実施形態におけるレンズを有した光ピックアップの概念図である。
【図２】レンズの斜視図である。
【図３】取付台に載置したレンズの側面図である。
【図４】レンズを成形する工程の概念図である。
【図５】凸部の形成行程の概念図である。
【図６】第２の実施形態においてレンズを位置決め固定する工程の概念図である。
【図７】カメラモジュールの断面図である。
【符号の説明】
【００４６】
１    レンズ
２    発光部
３    受光部
４    ビームスプリッタ
５    取付台
６    記録媒体
１０    レンズ面
１１    鍔部
１２    取付面
１３    凸部
１４    当接面
２０    成形型
２１    ガラス素材
２２    接着材
２３    透明板
２４    凸構成部
３０    ホルダ
３１    バレル
３２    レンズ
３３    受光センサー
３４    フィルター
３５    基板
【図１】
2010139722.tif 000003
【図２】
2010139722.tif 000004
【図３】
2010139722.tif 000005
【図４】
2010139722.tif 000006
【図５】
2010139722.tif 000007
【図６】
2010139722.tif 000008
【図７】
2010139722.tif 000009